(57)【特許請求の範囲】
【請求項１】
コンタクトが配設された樹脂よりなるハウジングと、
基板に表面実装され、前記ハウジングが挿入されることにより、内部に前記ハウジングを装着する金属製のシールドケースとを有するコネクタにおいて、
前記ハウジングに、前記挿入の方向に延在すると共に挿入方向端に端部を有する係合溝を形成し、
前記シールドケースに、前記ハウジングが挿入される際に前記係合溝に係合する係合凸部を形成し、
前記シールドケースが基板に表面実装される側である前記シールドケースの底部に、前記ハウジングにかしめられることにより係合可能とされた爪部を形成し、
前記係合溝への挿入に伴い前記係合凸部が前記端部に当接することにより、前記ハウジングが前記シールドケース内の所定位置に位置決めされる構成とすると共に、
前記爪部をかしめて前記ハウジングに係合させることにより、前記ハウジングを前記シールドケースに固定する構成としたことを特徴とするコネクタ。
【発明の詳細な説明】
【０００１】
【発明の属する技術分野】
本発明はコネクタに係り、特にシールドケース内にコンタクトが内設されたハウジングを装着する構成のコネクタに関する。
【０００２】
【従来の技術】
図６乃至図８は、従来の一例であるコネクタ１を示している。図６はコネクタ１の平面図，正面図，右側面図であり、図７はコネクタ１の断面図であり、図８はコネクタ１の分解図である。
【０００３】
コネクタ１は、大略するとシールドケース２，ハウジング３，及びコンタクト４等により構成されている。コンタクト４はハウジング３に装着されており、またコンタクト４を内設したハウジング３は、シールドケース２内に装着される。
【０００４】
シールドケース２は略筒状の形状を有しており、例えば銅合金等の導電性金属により形成されている。このシールドケース２は、図９に拡大して示すように、筒状のケース本体５の側面に対向する一対の側部固定片６が形成されている。また、ケース本体５の上面両側には、上部固定片７が形成されている。この各固定片６，７はそれぞれ内側に向け斜めに延出するよう形成されている。
【０００５】
側部固定片６は、コネクタ１に装着されるプラグを装着状態に保持する機能を奏する。また、上部固定片７はハウジング３に係合することにより、ハウジング３をシールドケース２内に固定する機能を奏する。
【０００６】
また、ケース本体５の底部には、ケース本体５より外側に向け延出した鍔部８が形成されている。この鍔部８は、コネクタ１を電子機器の基板に実装した際、基板に形成されているグランド端子に接続される。これにより、シールドケース２はシールド機能を奏することとなる。
【０００７】
更に、シールドケース２を構成するケース本体５の側面には、一対の係合溝９が形成されている。この係合溝９は、ケース本体５のハウジング３が挿入される端部（図６（Ｃ）及び図９（Ｃ）における右端部）より、図中矢印Ｘ２方向に略水平に延出するよう形成されている。
【０００８】
一方、ハウジング３は樹脂形成されたものであり、図１０に拡大して示すようにハウジング本体１０と延出部１１とを一体形成された構成とされている。このハウジング３の内部には、図７に示すようにコンタクト４が配設される。このため、ハウジング本体１０にはコンタクト４を装着するためのコンタクト挿入孔１２が形成されている。
【０００９】
また、延出部１１は、ハウジング本体１０より図中矢印Ｘ１方向に延出するよう形成されている。この延出部１１には、コンタクト４を所定位置に位置決めするためのコンタクト装着溝１４が形成されている。
【００１０】
更に、ハウジング本体１０の両側部には、係合凸部１５が形成されている。この係合凸部１５は、ハウジング本体１０の側面より外側に向け突出するよう、また図中矢印Ｘ１，Ｘ２方向に所定長さで延在するよう形成されている。
【００１１】
次に、従来におけるコネクタ１の組み立て方法について、図８を参照しつつ説明する。同図に示すように、コネクタ１を組み立てるには、予めコンタクト４を配設したハウジング３を筒状とされたシールドケース２の内部に挿入する。
【００１２】
この際、シールドケース２に形成された係合溝９の配設位置と、ハウジング３に形成された係合凸部１５の配設位置は対応するよう構成されている。このため、係合溝９に係合凸部１５が挿入されるようシールドケース２に対してハウジング３を位置決めして挿入処理を行なう。これにより、図中矢印Ｘ１，Ｘ２方向に比較的長い形状とされたハウジング３を確実かつ容易にシールドケース２に装着することができる。
【００１３】
【発明が解決しようとする課題】
しかしながら、従来のコネクタ１では、金属製のシールドケース２に係合溝９が形成されると共に、樹脂製のハウジング３に係合凸部１５が形成された構成とされていた。即ち、従来の構成では、金属に比べ強度の低いハウジング３側に係合凸部１５が形成されていた。
【００１４】
前記したように、係合溝９及び係合凸部１５は、組み立て時におけるシールドケース２とハウジング３の位置決めを行なうものである。よって、ハウジング３をシールドケース２に挿入する際の位置決め時において、ハウジング３が図中矢印Ｂ方向に変位した場合、係合凸部１５には大きな外力が印加されてしまう。
【００１５】
前記したように、係合凸部１５は樹脂により形成されており、また外側に向け突出した形状であるため機械的強度は低い。このため、上記のように外力が印加された場合、最悪の場合には係合凸部１５が欠けてしまい、コネクタ１の信頼性が低下してしまうという問題点があった。
【００１６】
本発明は上記の点に鑑みてなされたものであり、信頼性の高いコネクタを提供することを目的とする。
【００１７】
【課題を解決するための手段】
上記の課題を解決するために本発明では、
コンタクトが配設された樹脂よりなるハウジングと、
基板に表面実装され、前記ハウジングが挿入されることにより、内部に前記ハウジングを装着する金属製のシールドケースとを有するコネクタにおいて、
前記ハウジングに、前記挿入の方向に延在すると共に挿入方向端に端部を有する係合溝を形成し、
前記シールドケースに、前記ハウジングが挿入される際に前記係合溝に係合する係合凸部を形成し、
前記シールドケースの基板に表面実装される側である底部に、前記ハウジングにかしめられることにより係合可能とされた爪部を形成し、
前記係合溝への挿入に伴い前記係合凸部が前記端部に当接することにより、前記ハウジングが前記シールドケース内の所定位置に位置決めされる構成とすると共に、
前記爪部をかしめて前記ハウジングに係合させることにより、前記ハウジングを前記シールドケースに固定する構成としたことを特徴とするものである。
【００１８】
上記発明によれば、樹脂よりなるハウジングに係合溝を形成し、かつ、樹脂より機械的強度の高い金属製のシールドケースに係合凸部を形成した構成とされている。このため、ハウジングをシールドケースに挿入抜しても、係合凸部は機械的強度が高いため損傷することはない。また、係合溝は樹脂よりなるハウジングに形成されるが、従来のように樹脂製のハウジングに凸部を形成した構成に比べ、ハウジングに係合溝を形成した構成の方が機械的強度は高い。
よって、樹脂よりなるハウジングに係合溝を形成し、かつ、金属製のシールドケースに係合凸部を形成することにより、係合溝及び係合凸部に損傷が発生することを防止でき、コネクタの信頼性を向上させることができる。
【００１９】
【発明の実施の形態】
次に、本発明の実施の形態について図面と共に説明する。
【００２０】
図１乃至図３は、本発明の一実施例であるコネクタ２０を示している。図１はコネクタ２０の平面図，正面図，右側面図であり、図２はコネクタ２０の断面図であり、図３はコネクタ２０の分解図である。本実施例では、ＵＳＢケーブルに設けられたプラグが装着されるコネクタ２０を例に挙げている。
【００２１】
コネクタ２０は、大略するとシールドケース２２，ハウジング２３，及びコンタクト２４等により構成されている。コンタクト２４はハウジング２３に装着されており、またコンタクト２４を装着したハウジング２３は、シールドケース２２内に装着される。
【００２２】
シールドケース２２は略矩形筒状の形状を有しており、例えば銅合金等の導電性金属により形成されている。このシールドケース２２は、図４に拡大して示すように、矩形筒状のケース本体２５の上面両側位置に一対の上部固定片２７Ａが形成されると共に、この一対の上部固定片２７Ａの中間位置に上部固定片２７Ｂが形成されている。
【００２３】
この各固定片２７Ａ，２７Ｂは、それぞれ内側に向け斜めに延出するよう形成されている。また、各固定片２７Ａ，２７Ｂは、コネクタ２０にプラグ（ＵＳＢケーブルのプラグ）が装着された際、このプラグと係合して装着状態に保持する機能を奏する。
【００２４】
また、ケース本体２５の底部には、鍔部２８及び爪部３３が形成されている。鍔部２８は、ケース本体２５より外側に向け延出形成されている。この鍔部２８は、コネクタ２０を電子機器等の基板に実装した際、基板に形成されているグランド端子に接続されるものである。これにより、シールドケース２２はシールド機能を奏することとなる。
【００２５】
尚、本実施例では、左右２個づつ、合計４個の鍔部２８が形成されている。また、本実施例では基板に表面実装するため、鍔部２８をケース本体２５より外側に向け延出するよう形成されているが、下方に向け延出するよう形成することによりディップタイプとすることも可能である。
【００２６】
また、爪部３３は、ケース本体２５の内側に向け折り曲げられた構成とされている。この爪部３３は、ハウジング２３をシールドケース２内に装着した後、ハウジング２３に係合するようかしめられる。これにより、ハウジング２３はシールドケース２２内に固定される。
【００２７】
また、シールドケース２を構成するケース本体５の両側面には、係合凸部２９が形成されている。この係合凸部２９は、ケース本体２５をプレス成型する際に一括的に形成されるものである。また、この係合凸部２９は、ケース本体２５の内側に向け突出するよう形成されている（図４（Ｂ）参照）。
【００２８】
一方、ハウジング２３は樹脂形成されたものであり、図５に拡大して示すようにハウジング本体３０と延出部３１とを一体形成された構成とされている。このハウジング２３の内部には、図２に示すようにコンタクト２４が配設される。
【００２９】
コンタクト２４は、接続部３６，固定部３７，及び端子部３８を一体的に形成された構成とされている。接続部３６は折り曲げ形成されることにより、バネ性を有して上方に延出した構成となっている。この接続部３６は、コネクタ２０にプラグが装着された際、プラグの電極にバネ力により圧接し電気的に接続する部位である。
【００３０】
また、固定部３７は、ハウジング本体３０に形成されているコンタクト挿入孔３２に圧入され、これによりコンタクト２４はハウジング２３内に固定される。また端子部３８はハウジング２３の底面から外部に露出しており、コネクタ２０が実装される基板に形成された配線と半田付けされることにより接続する部位である。
【００３１】
一方、ハウジング本体３０に形成された延出部３１は、ハウジング本体３０より図中矢印Ｘ１方向に延出するよう形成されている。この延出部３１には、コンタクト２４を所定位置に位置決めするためのコンタクト装着溝３４が形成されている。
【００３２】
更に、ハウジング本体３０の両側部には、係合溝３５が形成されている。この係合溝３５は、ハウジング本体３０の側面より一段窪んだ形状とされたものであり、図中矢印Ｘ１，Ｘ２方向に所定長さで延在するよう形成されている。また、図３及び図５（Ｂ）に示されるように、係合溝３５の図中矢印Ｘ１方向側の端部には傾斜部３５ａが形成されている。
【００３３】
次に、コネクタ２０の組み立て方法について、図３を参照しつつ説明する。同図に示すように、コネクタ２０を組み立てるには、予めコンタクト２４を配設したハウジング２３をシールドケース２２の内部に挿入する。
【００３４】
この際、前記したシールドケース２２に形成された係合凸部２９の配設位置と、ハウジング２３に形成された係合溝３５の配設位置は対応するよう構成されている。このため、組み立て処理は、係合凸部２９とハウジング本体３０とが一致するようシールドケース２２とハウジング２３との位置決めを行い、その上で相対的にハウジング２３をシールドケース２２に挿入する。この挿入処理により、係合凸部２９は相対的に係合溝３５内を図中矢印Ｘ２方向に移動する。
【００３５】
前記したように、係合溝３５には傾斜部３５ａが形成されている。このため、係合凸部２９と係合溝３５との位置決めを容易に行なうことができる。また、係合凸部２９が係合溝３５の図中矢印Ｘ２方向の端部３５ｂに当接した時点で、ハウジング２３はシールドケース２２内の所定位置に位置決めされる。続いて、シールドケース２２に形成された爪部３３をかしめてハウジング２３に係合させ、これによりハウジング２３はシールドケース２２内に固定される。
上記したように、本実施例では樹脂よりなるハウジング２３に係合溝３５を形成し、かつ、樹脂より機械的強度の高い金属製のシールドケース２２に係合凸部２９を形成した構成とされている。このため、コネクタ２０の組み立て時或いはメンテナンス時に、ハウジング２３をシールドケース２２に挿入抜しても、係合凸部２９は機械的強度が高いため損傷するようなことはない。
【００３６】
また、係合溝３５は樹脂よりなるハウジング２３に形成されるが、従来のように樹脂製のハウジング３に外側に向け突出した係合凸部１５を形成する構成に比べ、溝である係合溝３５の機械的強度は高い。 よって、本実施例の構成とすることにより、
ハウジング２３をシールドケース２２に挿入する際或いは挿入した後に、ハウジング２３が図８に示す矢印Ｂ方向に変位したとしても、係合凸部２９及び係合溝３５に欠けや変形が発生するようなことはなく、コネクタ２０の信頼性を向上させることができる。
【００３７】
尚、上記した実施例では、ＵＳＢケーブルのプラグが装着されるコネクタ２０に本願発明を適用した例について説明したが、本願発明の適用はこれに限定されるものではなく、コンタクトをハウジングに装着する構成を有するコネクタに広く適用できるものである。
【００３８】
【発明の効果】
上述の如く本発明によれば、樹脂よりなるハウジングに係合溝を形成し、かつ、金属製のシールドケースに係合凸部を形成することにより、係合溝及び係合凸部に損傷が発生することを防止でき、コネクタの信頼性を向上させることができる。
【図面の簡単な説明】
【図１】本発明の一実施例であるコネクタを示す図であり、（Ａ）は平面図、（Ｂ）は正面図、（Ｃ）は右側面図である。
【図２】本発明の一実施例であるコネクタの断面図である。
【図３】本発明の一実施例であるコネクタの分解図である。
【図４】本発明の一実施例であるコネクタを構成するシールドケースを示す図であり、（Ａ）は平面図、（Ｂ）は正面図、（Ｃ）は右側面図、（Ｄ）は断面図である。
【図５】本発明の一実施例であるコネクタを構成するハウジングを示す図であり、（Ａ）は平面図、（Ｂ）は正面図、（Ｃ）は左側面図、（Ｄ）は右側面図である。
【図６】従来の一例であるコネクタを示す図であり、（Ａ）は平面図、（Ｂ）は正面図、（Ｃ）は右側面図である。
【図７】従来の一例であるコネクタの断面図である。
【図８】従来の一例であるコネクタの分解図である。
【図９】従来の一例であるコネクタを構成するシールドケースを示す図であり、（Ａ）は平面図、（Ｂ）は正面図、（Ｃ）は右側面図である。
【図１０】従来の一例であるコネクタを構成するハウジングを示す図であり、（Ａ）は平面図、（Ｂ）は正面図、（Ｃ）は左側面図、（Ｄ）は右側面図である。
【符号の説明】
２０  コネクタ
２２  シールドケース
２３  ハウジング
２４  コンタクト
２５  ケース本体
２９  係合凸部
３０  ハウジング本体
３１  延出部
３２  コンタクト挿入孔
３４  コンタクト装着溝
３５  係合溝
【図１】
0004599741.tif 000002
【図２】
0004599741.tif 000003
【図３】
0004599741.tif 000004
【図４】
0004599741.tif 000005
【図５】
0004599741.tif 000006
【図６】
0004599741.tif 000007
【図７】
0004599741.tif 000008
【図８】
0004599741.tif 000009
【図９】
0004599741.tif 000010
【図１０】
0004599741.tif 000011